(57)【要約】【課題】第二世代コードレス電話システム標準規格に準拠して、グループ着信を短時間で呼出しを行ない、特定端末と個別通話を行なう。【解決手段】ＰＢＸ１は、グループ着信操作を認識すると、ＰＨＳ基地局４−１〜４−ｍからグループ着信をＳＴＤ−２８の規定のＵＳＣＣＨにて発信者の情報を含めて着信通知を行なう。ＰＨＳ端末５−１〜５−ｐは、受信したＵＳＣＣＨの内容にて着信鳴動および着信表示動作を行なう。また、ＰＨＳ端末から応答操作を行なうことで、無線制御チャネルを利用して個別通話を行なうことを可能とする。【選択図】図１
2012074770.tif 000002
【特許請求の範囲】
【請求項１】
ＰＨＳ基地局を接続する電話交換装置と、ＰＨＳ端末とを含み、第二世代コードレス電話システム標準規格に準拠してＰＨＳ通信を可能とする電話交換システムにおいて、
前記電話交換装置は、
グループ着信指示に対応する発信操作者情報を記憶する記憶手段と、
グループ着信指示を認識すると、前記記憶手段に記憶された当該グループ着信指示に対応する発信操作者情報をＵＳＣＣＨに格納して、当該ＵＳＣＣＨを前記ＰＨＳ基地局から送出させて一斉着信する手段とを備え、
前記ＰＨＳ端末は、
前記グループ着信を受信するモードに設定する設定手段と、
前記グループ着信を受信するモードの場合、前記ＵＳＣＣＨを受信するＵＳＣＣＨ受信手段と、
前記ＵＳＣＣＨ受信手段が受信した前記ＵＳＣＣＨ内にグループ着信に係る発信操作者情報が格納されている場合、当該発信操作者情報を表示部に表示させる表示制御手段と、グループ着信の着信鳴動を制御する手段とを備えることを特徴とする電話交換システム。
【請求項２】
前記記憶手段は、グループ着信指示に対応する発信操作者情報に加えて着信グループ番号情報を記憶しており、
前記グループ着信手段は、グループ着信指示を認識すると、前記記憶手段に記憶された当該グループ着信指示に対応する発信操作者情報と着信グループ番号情報とをＵＳＣＣＨを格納して、当該ＵＳＣＣＨを前記ＰＨＳ基地局から送出させるものであり、
前記着信制御手段は、前記受信手段が受信した前記ＵＳＣＣＨ内に自端末が処理する着信グループ番号情報が格納されており、かつ、グループ着信に係る着信グループ番号情報が格納されている場合に、当該発信操作者情報を表示部に表示させることを特徴とする請求項１記載の電話交換システム。
【請求項３】
ＰＨＳ端末と無線通信を行なうＰＨＳ基地局を接続し、第二世代コードレス電話システム標準規格に準拠してＰＨＳ通信を可能とする電話交換装置において、
グループ着信指示に対応する発信操作者情報および着信グループ番号情報を記憶する記憶手段と、
グループ着信指示を認識すると、前記記憶手段に記憶された当該グループ着信指示に対応する発信操作者情報および着信グループ番号情報をＵＳＣＣＨに格納して、当該ＵＳＣＣＨを前記ＰＨＳ基地局から前記ＰＨＳ端末に送出させてグループ着信する一斉着信手段と、を備え、
前記グループ情報に属する前記ＰＨＳ端末の表示部に前記発信操作者情報を表示させることを特徴とする電話交換装置。
【請求項４】
ＰＨＳ基地局を接続する電話交換装置と、ＰＨＳ端末とを含み、第二世代コードレス電話システム標準規格に準拠してＰＨＳ通信を可能とする電話交換システムの着信制御方法において、
前記電話交換装置は、
グループ着信指示に対応するグループ着信情報を記憶しており、
グループ着信指示を認識すると、当該グループ着信指示に対応する発信操作者情報をＵＳＣＣＨに格納して、当該ＵＳＣＣＨを前記ＰＨＳ基地局から送出させて一斉着信し、
前記ＰＨＳ端末は、
前記グループ着信を受信するモードに設定されている場合に、前記ＵＳＣＣＨを受信し、
受信した前記ＵＳＣＣＨ内にグループ着信に係る発信操作者情報が格納されている場合は、当該文字メッセージ情報を表示部に表示することを特徴とする着信制御方法。
【発明の詳細な説明】
【技術分野】
【０００１】
本発明は、電話交換システム、電話交換装置および着信制御方法に係り、特に非特許文献１の規定に従う電話交換システム、電話交換装置および着信制御方法に関する。
【背景技術】
【０００２】
ＰＨＳ（Personal Handy Phone System）を用いて、発信者からの発信要求によりグループ分けされている複数ＰＨＳ端末へ着信を知らせる方式が種々提案されている。
例えば、特許文献１には、１つの基地局が管理する無線ゾーン内に複数の移動局（ＰＨＳ端末）が存在し、それらの各移動局は、ゾーン対応のグループに所属している。着呼の際に、複数の基地局を管理する交換機は、特定の移動局への呼び出しを行なう個別着信を行なうのか、それともグループに所属する複数の移動局への一斉呼び出しを行なうグループ着信を行なうのかを選択する。そして、グループ着信を行なう場合には、無線制御チャネルを用いて該当する基地局からグループに属する各移動局に対して着呼信号を送出し、各移動局についての接続処理が終了した後に、各移動局に対して呼び出し信号を送出して同時に呼び出すようになっている。
【０００３】
また、特許文献２においても着信の際に、グループ着信を行なう場合には、無線制御チャネルを用いて該当する基地局からグループに属する各移動局（ＰＨＳ端末）に対して優先順位を設けて着呼信号を送出し、各移動局に対して着呼の成功確率を高める提案がされている。
【０００４】
また、特許文献３には、ＰＨＳ端末に実装されたランプを用いて、外線から着信があったことを基地局から一斉にＵＳＣＣＨ（User Specific Control Channel：ユーザ特有の制御チャネル）で報知し、各移動局（ＰＨＳ端末）ではＵＳＣＣＨに設定されているランプ状態情報を元にランプ制御を行ない、着呼があることを一斉に知らせる提案がされている。
【０００５】
また、特許文献４には、発信者が親機にシステム共通の呼出符号を用い複数の子機に対し一斉呼出しを行ないその中の特定子機を呼出す方式において、システム内の接続動作を簡単化し、一斉呼出しのあと短時間で、特定子機が発信者と個別通話が可能となるシステムコードレス電話機の一斉通報と個別通話の方式を実現する提案がされている。しかし、特許文献４にて、親機がどのような信号・手順で一斉呼出しを送信し、子機がこれをどのようにして受信を行ない、どのようにして子機が個別通話に切り替わるのか明確に開示されていない。
【先行技術文献】
【特許文献】
【０００６】
【特許文献１】特開平０３−２３４１９６号公報
【特許文献２】特開平０９−２１４４２３号公報
【特許文献３】特開平０８−２３７７３８号公報
【特許文献４】特開平０６−  ５３８９５号公報
【非特許文献】
【０００７】
【非特許文献１】”第二世代コードレス電話システム”、[online]、平成５年１２月２０日、社団法人電波産業会、[平成２２年８月２１日検索]、インターネット、<ＵＲＬ：http://www.arib.or.jp/english/html/overview/doc/1-STD-28v5_3-1p2.pdf>
【発明の概要】
【発明が解決しようとする課題】
【０００８】
上記従来技術にて、特許文献１、２に関しては無線制御チャネルを用いて該当する基地局から各移動局に対して着呼信号を送出する方式であり、各移動局を呼出す台数が増加すると、該当する移動局を呼出す時間が、第二世代コードレス電話システム標準規格に準じて、１台ずつ着呼制御を行なう必要があるため、時間が長くなってしまう点、および、着呼信号を制御するために無線制御チャネルが必要であり、その分の基地局の無線制御チャネルが予め確保されていないと確実に、着呼信号を各移動局へ通知することができない点、および、グループ着信が行なわれている状態で、グループ着信に属していない移動局への個別呼出および移動局からの発呼制御が無線制御チャネル使用中の状態により、発呼動作が制限されてしまう。
【０００９】
特許文献３に関しては、ＵＳＣＣＨ（ユーザ特有の制御チャネル）用いることで、無線制御チャネルと別に制御を行ない、移動局が複数台あっても同時にランプ制御にて着信を報知することが可能である。しかし、発信者を特定する手段が着信に応答してみないと特定できない。
【００１０】
本発明の目的は、非特許文献１に準拠した手順または方法によって、複数の移動局へ着呼信号および発信者情報を通知する手段および、移動局にて発信者情報を参照し、着信応答したい移動局の操作により、発信者と着信応答操作の移動局が通話できる手段を提供することにある。
【課題を解決するための手段】
【００１１】
本発明は、ＰＨＳ基地局を接続する電話交換装置と、ＰＨＳ端末とを含み、第二世代コードレス電話システム標準規格に準拠してＰＨＳ通信を可能とする電話交換システムの着信通知方法において、電話交換装置は、発信者からの発信要求により予めグループ分けされている複数ＰＨＳ端末へ通知する情報をＵＳＣＣＨに格納して、該当ＵＳＣＣＨをＰＨＳ基地局から送出させてグループ着信を通知し、ＰＨＳ端末は、ＵＳＣＣＨを受信し、受信したＵＳＣＣＨ内に設定されている発信者の情報を表示部に表示および着信鳴動を行なう、ＰＨＳ端末より応答操作が行なわれた場合、無線制御チャネルを利用し着信応答し通話できる。
【００１２】
上述した課題は、ＰＨＳ基地局を接続する電話交換装置と、ＰＨＳ端末とを含み、第二世代コードレス電話システム標準規格に準拠してＰＨＳ通信を可能とする電話交換システムにおいて、電話交換装置は、グループ着信指示に対応する発信操作者情報を記憶する記憶手段と、グループ着信指示を認識すると、記憶手段に記憶された当該グループ着信指示に対応する発信操作者情報をＵＳＣＣＨに格納して、当該ＵＳＣＣＨをＰＨＳ基地局から送出させて一斉着信する手段とを備え、ＰＨＳ端末は、グループ着信を受信するモードに設定する設定手段と、グループ着信を受信するモードの場合、ＵＳＣＣＨを受信するＵＳＣＣＨ受信手段と、ＵＳＣＣＨ受信手段が受信したＵＳＣＣＨ内にグループ着信に係る発信操作者情報が格納されている場合、当該発信操作者情報を表示部に表示させる表示制御手段と、グループ着信の着信鳴動を制御する手段とを備える電話交換システムにより、達成できる。
【００１３】
また、ＰＨＳ端末と無線通信を行なうＰＨＳ基地局を接続し、第二世代コードレス電話システム標準規格に準拠してＰＨＳ通信を可能とする電話交換装置において、グループ着信指示に対応する発信操作者情報および着信グループ番号情報を記憶する記憶手段と、グループ着信指示を認識すると、記憶手段に記憶された当該グループ着信指示に対応する発信操作者情報および着信グループ番号情報をＵＳＣＣＨに格納して、当該ＵＳＣＣＨをＰＨＳ基地局からＰＨＳ端末に送出させてグループ着信する一斉着信手段と、を備え、グループ情報に属するＰＨＳ端末の表示部に発信操作者情報を表示させる電話交換装置により、達成できる。
【００１４】
さらに、ＰＨＳ基地局を接続する電話交換装置と、ＰＨＳ端末とを含み、第二世代コードレス電話システム標準規格に準拠してＰＨＳ通信を可能とする電話交換システムの着信制御方法において、電話交換装置は、グループ着信指示に対応するグループ着信情報を記憶しており、グループ着信指示を認識すると、当該グループ着信指示に対応する発信操作者情報をＵＳＣＣＨに格納して、当該ＵＳＣＣＨをＰＨＳ基地局から送出させて一斉着信し、ＰＨＳ端末は、グループ着信を受信するモードに設定されている場合に、ＵＳＣＣＨを受信し、受信したＵＳＣＣＨ内にグループ着信に係る発信操作者情報が格納されている場合は、当該文字メッセージ情報を表示部に表示する着信制御方法により、達成できる。
【発明の効果】
【００１５】
本発明によれば、電話交換装置は、第二世代コードレス電話システム標準規格に準拠した手順若しくは方法によって、グループ着信時に、短時間でかつ確実に複数の移動局（ＰＨＳ端末）に着呼信号および発信者の情報を通知し、移動局では受信した着呼信号および発信者の情報を元に着信鳴動および、発信者情報を表示部に表示を行なう。該当移動局より応答操作を行なうことで、通話できる。
【図面の簡単な説明】
【００１６】
【図１】電話交換システムのブロック図である。
【図２】ＰＨＳ無線基地局のブロック成図である。
【図３】ＰＨＳ端末のブロック図である。
【図４】グループ着信リストを説明する図である。
【図５】グループ着信テーブルを説明する図である。
【図６】ＰＨＳ端末に設定記憶されるＰＨＳ端末テーブルを説明する図である。
【図７】スーパーフレームの構成を説明する図である。
【図８】発信者を内線で送信するための第１のメッセージ構成を説明する図である。
【図９】発信者を内線で送信するための第２のメッセージ構成を説明する図である。
【図１０】発信者を外線で送信するための第１のメッセージ構成を説明する図である。
【図１１】発信者を外線で送信するための第２のメッセージ構成を説明する図である。
【図１２】グループ着信メッセージを送信するための動作シーケンス図である。
【図１３】グループ着信メッセージを送信するための動作シーケンス図である。
【図１４】グループ着信メッセージを送信するための動作シーケンス図である。
【図１５】構内電話交換機のグループ着信監視フローチャートである。
【図１６】構内電話交換機のグループ着信監視フローチャートである。
【図１７】ＰＨＳ端末の電源ＯＮ時／ＰＨＳ基地局捕捉時フローチャートである。
【図１８】ＰＨＳ端末の通常モード時の待受け状態フローチャートである。
【図１９】ＰＨＳ端末のグループ着信受信モード時の待受け状態フローチャートである。
【図２０】ＰＨＳ端末の発信操作監視フローチャートである。
【図２１】ＰＨＳ端末のグループ着信メッセージ受信処理フローチャートである。
【発明を実施するための形態】
【００１７】
以下、本発明の実施の形態について、実施例を用い図面を参照しながら詳細に説明する。なお、実質同一部位には同じ参照番号を振り、説明は繰り返さない。なお、以下の実施例では、病院または介護施設でナースコール用にＰＨＳを利用する構内電話交換システムを説明する。しかし、発明は、ナースコールに限定されない。
【００１８】
図１を参照して、構内電話交換システムを説明する。図１において、構内電話交換システム１００は、電話交換装置である構内電話交換機（ＰＢＸ）１と、複数台（図示は１台）の内線電話機２と、複数台（図示は１台）のデジタル多機能電話機３と、ｍ台のＰＨＳ基地局４と、ｐ台のＰＨＳ端末５と、メンテナンスパネル（ＭＰと略記）９とを含んで構成している。
【００１９】
また、構内電話交換機１は、電話端末（内線電話機２、デジタル多機能電話機３、ＰＨＳ端末５）や回線（公衆電話網７の局線等）の回線交換を行なう通話路スイッチ１１を備えている。この通話路スイッチ１１は、内線回路１２、デジタル内線回路１３、ｍ台のコードレス電話トランク１４、局線トランク１５が接続収容している。
【００２０】
ここで、内線回路１２は、複数台の内線電話機２を接続し、これらを制御（発信／着信制御等）して、構内電話交換機１とのインタフェースを行なう。デジタル内線回路１３は、複数台のデジタル多機能電話機３を接続し、これらを制御（発信／着信制御等）して、構内電話交換機１とのインタフェースを行なう。コードレス電話トランク１４−１〜１４−ｍは、ＰＨＳ基地局４−１〜４−ｍをそれぞれ接続し、これを制御（発信／着信制御等）して、構内電話交換機１とのインタフェースを行なう。なお、コードレス電話トランク１４−１〜１４−ｍとＰＨＳ基地局４−１〜４−ｍとの間は、ＩＳＤＮ基本インタフェースで接続されている。また、局線トランク１５は、公衆電話網７からの局線回線を接続し、これを制御（発信／着信制御等）して、構内電話交換機１とのインタフェースを行なう。
【００２１】
また、構内電話交換機１は、制御装置１７を備えている。この中央制御装置１７は、構内電話交換機１の全体を統制・制御して呼接続制御を行なう。中央制御装置１７は、スーパーフレーム生成部１７１を含んでいる。スーパーフレーム生成部１７１は、スーパーフレーム生成の制御を行なっている。制御バス２０を介して、制御装置１７には、記憶装置１８が接続されている。記憶装置１８は、通報リストや通報テーブル等の各種テーブルを格納している。記憶装置１８は、グループ着信テーブル１８１と、グループ着信リスト１８２とを記憶する。更に、制御バス２０には、構内電話交換機１の動作に必要な局データを設定するために用いられる端末装置であるメンテナンスパネル装置９を接続する入出力装置１９と、通話路スイッチ１１とが接続されている。そして、構内電話交換機１の使用にあたって、使用条件等に応じてデータ端末であるメンテナンスパネル９から記憶装置１８に対して局データを設定できる。
【００２２】
構内電話交換機１は、ＰＨＳサービスを提供する。このため、構内電話交換機１は、ｐ台のＰＨＳ端末５を内線電話機として利用できるように収容している。そして、このＰＨＳサービスは、非特許文献１に準拠した手順または方法によって行なわれる。従って、呼設定、通話、その他の電話交換動作に関するＰＨＳ基地局４−１〜４−ｍと、ＰＨＳ端末５−１〜５−ｐとの間の無線通信は、非特許文献１に準拠して行なわれる。
【００２３】
図２を参照して、構内電話交換機１に接続されるＰＨＳ無線基地局を説明する。図２において、ＰＨＳ無線基地局４は、スイッチ部４Ａと、受信部４Ｂと、復調部４Ｃと、送信部４Ｄと、変調部４Ｅと、ＴＤＭＡ処理部４Ｆと、回線インタフェース部４Ｇと、制御部４Ｈと、記憶部４Ｊと、およびアンテナ４Ｋとを備えている。そして記憶部４Ｊは、ＲＯＭ、フラッシュＲＯＭ（Ｆ−ＲＯＭ）、ＲＡＭから構成されている。
【００２４】
アンテナ４Ｋは、スイッチ部４Ａにて送受信を切り換えて使用されている。受信部４Ｂを経て、復調部４Ｃより復調された受信信号は、ＴＤＭＡ処理部４Ｆより連続する受信データとして回線インタフェース４Ｇを経て、構内電話交換機１のコードレス電話トランク１４−１〜１４−ｍを介して、通話路スイッチ１１や制御装置１７に送信される。また、これとは逆に構内電話交換機１の通話路スイッチ１１や制御装置１７からの連続する送信信号は、回線インタフェース４Ｇを介してＴＤＭＡ処理部４Ｆに送られる。ＴＤＭＡ処理部４Ｆは、連続する送信データをバースト状のデータに変換する。変調部４Ｅは、バーストデータを変調する。送信部４Ｄは、変調信号をＰＨＳ端末５に対して送信する。
【００２５】
また、ＴＤＭＡ処理部４Ｆと回線インタフェース４Ｇは。制御部４Ｈによって制御される。この制御部４Ｈには、ＲＯＭ、Ｆ−ＲＯＭ、ＲＡＭを備えた記憶部４Ｊが接続されている。
【００２６】
図３を参照して、ＰＨＳ端末の構成を説明する。図３において、ＰＨＳ端末５は、スピーカ５Ａと、マイク５Ｂと、音声処理部５Ｃと、コーデック５Ｄと、ＴＤＭＡ処理部５Ｅと、復調部５Ｆと、変調部５Ｇと、受信部５Ｈと、送信部５Ｊと、スイッチ部５５Ｋと、制御部５Ｌと、表示部５Ｍと、ランプ部５Ｎと、操作部５Ｐと、外部インタフェース部５Ｑと、記憶部５Ｒと、およびアンテナ５Ｓとを備えている。制御部５Ｌは、スーパーフレーム解析部５Ｔと、着信制御部５Ｕと、発信制御部５Ｖとを備える。記憶部５Ｒは、ＲＯＭ、フラッシュＲＯＭ（Ｆ−ＲＯＭ）、ＲＡＭから構成されており、ＰＨＳ端末テーブル５Ｗが格納されている。
【００２７】
マイク５Ａから入力される音声データは、音声処理部５Ｃを経て、コーデーク５Ｄにて符号化される。ＴＤＭＡ処理部５ＥからＰＨＳ基地局４へ送信されるまでの動作と、受信した受信信号がＴＤＭＡ処理部５Ｅに送られるまでの動作は、図２を用いて説明したＰＨＳ基地局４の動作と同様である。ＴＤＭＡ処理部５Ｅにより連続するデータとなった受信信号は、コーデック５Ｄにより復号化され、音声処理部５Ｃを経て、スピーカ５Ｂより送出される。
【００２８】
音声処理部５Ｃ、ＴＤＭＡ処理部５Ｅ、表示部５Ｍ、ランプ部５Ｎ、操作部５Ｐ、外部インタフェース部８６、および記憶部５Ｒには制御部５Ｌが接続されている。また、ＰＨＳ端末５は、バイブレータ（図示せず）を備えており、条件設定により音声着信時にＰＨＳ端末を振動させる。さらに、ＰＨＳ端末５は、充電可能なバッテリー（図示せず）にて作動する。
【００２９】
図４を参照して、構内電話交換機１の記憶装置１８に設定記憶されるグループ着信リスト１８２を説明する。なお、このグループ着信リスト１８２は、メンテナンスパネル装置９を操作することで設定される。図４において、グループ着信リスト１８２は、グループ番号３１、呼出先ＰＳ電話情報３２の領域から構成されている。グループ番号３１は、複数のＰＨＳ端末５−１〜５−ｐをグループ分けした際に用いられる管理番号である。グループ番号３１は、グループ着信の起動を検出した場合に、呼出先を特定するために用いる。呼出先ＰＳ電話情報３２は、グループ番号３１毎に属するＰＨＳ端末５の電話情報（具体的には、内線番号またはＰＳ−ＩＤ）を格納する。図４においては、グループ番号０１に「ＰＳ１」〜「ＰＳ１０」が属しており、グループ番号０２に「ＰＳ１１」〜「ＰＳ１５」が属しており、グループ番号０７に「ＰＳ６０」〜「ＰＳ９９」が属している。
【００３０】
図５を参照して、構内電話交換機１の記憶装置１８に設定記憶されるグループ着信テーブル１８１を説明する。グループ着信テーブル１８１は、メンテナンスパネル装置９を操作することで設定される。図５において、グループ着信テーブル１８１、グループ着信種別４１、対象着信グループ番号４２、名称４３とから構成されている。
【００３１】
名称４３は、ＰＨＳ端末５に通知し、ＰＨＳ端末５に着信表示させる内容である。グループ着信種別４１は、グループ着信の起動があった場合に呼出先のＰＨＳ端末へ着信動作を行なうための指示情報（グループ着信のトリガー情報）である。グループ着信種別４１は、具体的には、内線電話機２またはデジタル多機能電話機３の受話器を上げた場合、内線電話機２またはデジタル多機能電話機３から特番（グループ着信を行なうための特番）と所定番号を受信した場合、局線トランクで着信を検出した場合等のユーザが予め指定（設定）した条件によってグループ着信が行なわれる。
【００３２】
対象着信グループ番号４２は、グループ着信種別４１毎に設定される。対象着信グループ番号４２は、どの着信グループ番号に属するＰＨＳ端末５に着信させるのかを予め設定する。なお、この対象着信グループ番号４２には、ＰＨＳ端末５−１〜５−ｐの全てをグループ着信先として設定することもできる。これは、具体的には着信グループ番号を「００」と設定したとき、全てのＰＨＳ端末５に対するグループ着信であるように定義して行なえば良い。
【００３３】
名称（着信表示内容）４３は、グループ着信種別４１の状態になり、指定された着信ループ番号に属するＰＨＳ端末５に対してグループ着信する際に送信する名称（着信表示内容）を指定する。この名称（着信表示内容）４３はグループ着信種別４１毎に個々に設定する。すなわち、グループ着信種別４１毎に、対象着信グループ番号４２および名称（着信表示内容）４３が対応付けされて予め設定登録されている。
【００３４】
図６を参照して、ＰＨＳ端末５の記憶部５Ｒに設定記憶されるＰＨＳ端末テーブル５Ｗを説明する。図６において、ＰＨＳ端末テーブル５Ｗは、ＰＨＳ端末５のそれぞれが保有している。ＰＨＳ端末テーブル５Ｗは、ＰＳ設定項目５１に対して、動作条件５２が設定される。
【００３５】
ＰＳ設定項目５１は、グループ着信受信有無６０、グループ着信番号６１、グループ着信時鳴動音（内線指定）６２、グループ着信時鳴動音（外線指定）６３、グループ着信時着信色（内線指定）６４、およびグループ着信時着信色（外線指定）６５を有している。グループ着信信号有無６０は、ＰＨＳ端末がグループ着信を受信するモードで動作するか否かを設定する項目であり、「有り」と設定されていれば、グループ着信を受信モードで動作し、「無し」と設定されていれば、通常モードで動作するため、グループ着信の受信は行なわない。したがって、グループ着信受信有無６０が「有り」と設定されている場合のみ、グループ着信番号６１、グループ着信時鳴動音（内線指定）６２、グループ着信時鳴動音（外線指定）６３、グループ着信時着信色（内線指定）６４、およびグループ着信時着信色（外線指定）６５に設定された条件が有効なものになる。
【００３６】
また、グループ着信番号６１は、ＰＨＳ端末自身がどの着信グループに属しているのかを設定する項目である。この動作条件に設定がない場合は、どの着信グループにも属さないとされ、全ＰＨＳ端末への着信グループのみ受信することになる。また、１台のＰＨＳ端末５が複数の着信グループに属することも可能である。
【００３７】
グループ着信時鳴動音（内線指定）６２およびグループ着信時鳴動音（外線指定）６３は、グループ着信を受信したときに着信音を指定する項目である。グループ着信時着信色（内線指定）６４およびグループ着信時着信色（外線指定）６５は、グループ着信を受信したときに、表示器への何色で着信表示を行なうかを指定する項目である。
【００３８】
なお、このＰＨＳ端末テーブル５Ｗは、ＰＨＳ端末５をメンテナンスモードに移行させて、ＰＨＳ端末の操作部５Ｐを操作し、表示部５Ｍと連携して、記憶部５Ｒに設定記憶される。なお、図６のＰＨＳ端末テーブル５Ｗは、一斉通報に係るＰＳ設定項目のみ記載してある。すなわち、その他、従来から用いられている設定項目も同様に存在していることは自明であるので、説明を省略する。
【００３９】
図７を参照して、ＰＨＳ通信に用いる非特許文献１に準拠したスーパーフレームの構成を説明する。図７において、スーパーフレームの構成は、ＰＨＳ基地局４からＰＨＳ端末５へ送信される方向の無線通信チャネルは、図７に示すデータフレームによって伝送されている。図７に示す（ａ）通常時と（ｂ）グループ着信時の２つのスーパーフレームのいずれか一方を用いることができる。
【００４０】
ＰＨＳシステムのＰＨＳ基地局とＰＨＳ端末間における無線区間のデータ伝送は、ＴＤＭＡ−ＴＤＤ（Time Division Multi Access-Time Division Duplex）方式が採用されている。このＴＤＭＡ−ＴＤＤは、所定の時間長を有するデータフレームを伝送データの一単位として、論理制御チャネル（Logical Control Channel（ＬＣＣＨ））スーパーフレーム（以下、「スーパーフレーム」と称する）を構成する。そして、このスーパーフレームを所定周期（具体的には１.２秒周期）でサイクリックに（繰り返し・繰り返し）伝送することにより各種制御データの伝送を行なう。また、このスーパーフレームは、複数のタイムスロットに分割されており、各々のタイムスロット毎に異なる種類の制御データが所定のビットパターンに変換され重畳される。
【００４１】
図７に示すように、ここでは、グループ着信サービス（機能）を提供しないときに用いる通常時のスーパーフレーム（ａ）と、グループ着信サービス（機能）を提供するときに用いるグループ着信時のスーパーフレーム（ｂ）を使用する。
【００４２】
通常時のスーパーフレーム（ａ）は、ＰＨＳ基地局からＰＨＳ端末に制御情報を報知するチャネルである。通常時のスーパーフレーム（ａ）は、チャネル構造に関する情報、システム情報等を転送する報知チャネル（Broadcast Control Channel）（以下、「ＢＣＣＨ（Ａ）」と称する）、ＰＨＳ基地局とＰＨＳ端末の間で呼接続に必要な情報を転送するチャネルであって、セル毎に独立の情報を転送する個別セル用チャネル（Signaling Control Channel）（以下、「ＳＣＣＨ」と称する）、およびＰＨＳ基地局からＰＨＳ端末に対して、単一セルあるいは複数のセルの広いエリア（一斉呼出エリア）に同一の情報を一斉に転送するポイント−マルチポイントの一斉呼出チャネル（Paging Channel）（以下、「ＰＣＨ」と称する）から構成されている。
【００４３】
図７（ａ）に示すように、ＢＣＣＨ（Ａ）７１、ＳＣＣＨ７２、ＳＣＣＨ７３、ＰＣＨ１_７４、ＳＣＣＨ７５、ＳＣＣＨ７６、ＳＣＣＨ７７、ＰＣＨ２_７８で構成されている。ＰＣＨ１_７４またはＰＣＨ２_７８を受信するとＰＨＳ端末５は、起動する。
【００４４】
また、グループ着信時のスーパーフレーム（ｂ）は、上記に加えて、制御用物理スロット上に定義可能なＵＰＣＨ（ポイント−マルチポイントのチャネルであって、制御信号情報およびユーザパケットデータ転送を行なうユーザパケットチャネル）であるユーザ特有制御チャネル（User Specific Control Channel）（以下、「ＵＳＣＣＨ」と称する）を用いている。このＵＳＣＣＨは、規定項目を満足していればその使用方法は任意なオプションである。ＵＳＣＣＨは、ユーザ独自で任意の制御チャネルとして使用できる。なお、ＵＳＣＣＨは、ＵＳＣＣＨ（１）とＵＳＣＣＨ（２）が規定されているが、ここでは、ＵＳＣＣＨ（２）を使用する。
【００４５】
図７（ｂ）に示すように、ＢＣＣＨ（Ａ）８１、ＵＳＣＣＨ（２）８２、ＳＣＣＨ８３、ＰＣＨ１_８４、ＳＣＣＨ８５、ＵＳＣＣＨ（２）８６、ＳＣＣＨ８７、ＰＣＨ２_８８で構成されている。ＵＳＣＣＨ（２）８２、ＰＣＨ１_８４、ＵＳＣＣＨ（２）８６またはＰＣＨ２_８８を受信するとＰＨＳ端末５は、起動する。
【００４６】
なお、図７に示すスーパーフレームの内、通常時のスーパーフレーム（ａ）とグループ着信時のスーパーフレーム（ｂ）とのどちらで動作させるかは、構内電話交換機１の記憶装置１８に局データとして設定して指定する。以下、局データがグループ着信時のスーパーフレーム（ｂ）で動作させるように設定されているものとする。
【００４７】
図８を参照して、グループ着信メッセージでグループ着信を起動した発信者が内線の場合に、メッセージをＵＳＣＣＨ（２）で送信するための第１のメッセージ構成を説明する図である。また、図９は、グループ着信メッセージをＵＳＣＣＨ（２）で送信するための第２のメッセージ構成を説明する図である。
【００４８】
ここでは、ＵＳＣＣＨ（２）によって、第１のメッセージ（第１フレームで送信されるメッセージ）と第２のメッセージ（第２フレームで送信されるメッセージ）の２つのメッセージを送信する。これによって、２つのメッセージによって、１つのグループ着信情報を送信して、内線番号３バイトおよび内線名称６バイトの情報を送付できるように構成している。
【００４９】
ここで、第１のメッセージとは、第１フレームで送信されるメッセージと定義し、同様に、第２のメッセージとは、第２フレームで送信されるメッセージと定義し、以降、これらの定義に従って表現する。
【００５０】
図８において、ＵＳＣＣＨ（２）で送信するための第１のメッセージＭ１は、ＵＳＣＣＨ（２）にて伝送可能な６２ビットのデータとなっている。メッセージＭ１は、情報要素識別子Ｍ１ａ、着信状態Ｍ１ｂ、フレームＮＯ Ｍ１ｃ、回線種別Ｍ１ｄ、着信グループ番号Ｍ１ｅ、内線番号の情報（内線番号［１］Ｍ１ｆ〜内線番号［６］Ｍ１ｋ）、内線名称の情報（内線名称［１］Ｍ１ｌ〜内線名称［３］Ｍ１ｏ）、状態変化Ｍ１ｍ、および報知受信指示Ｍ１ｐから構成されている。
【００５１】
情報要素識別子Ｍ１ａは、このメッセージで報知される情報がグループ着信であることを示す識別情報を格納する。着信状態Ｍ１ｂは、グループ着信動作中（すなわち、グループ着信有り）にあるか、またはグループ着信が停止状態（すなわち、グループ着信無し）にあるかを示す情報を格納する。フレーム番号Ｍ１ｃは、送信しているメッセージが、第１のメッセージであるか、または第２のメッセージであるかを示す情報を格納する。ここでは、第１のメッセージの場合なので、フレーム番号Ｍ１ｃは、「０：第１フレームを示す情報」を格納する。回線種別Ｍ１ｄは、グループ着信を起動した発信者情報が内線であるか、または外線であるかを示す情報を格納する。ここでは、内線着信なので、「内線」を格納する。着信グループ番号Ｍ１ｅは、グループ着信の通報先を示す着信グループ番号（００〜０７）を格納する。
【００５２】
また、内線番号の情報（内線番号［１］Ｍ１ｆ〜内線番号［６］Ｍ１ｋ）は、グループ着信を起動した発信者情報（内線番号）を４ビットの番号デジット（０〜９）で格納する。内線名称の情報（内線名称［１］Ｍ１ｌ〜内線名称［３］Ｍ１ｏ）は、グループ着信を起動した発信者情報（内線名称）のキャラクタコード（文字コード）をそれぞれ格納する。さらに、状態変化Ｍ１ｍは、本メッセージ情報に変更がある度にインクリメントされる３ビットの２進数を格納する。報知受信指示Ｍ１ｐは、受信指示を示す情報を格納する。
【００５３】
次に、図９において、ＵＳＣＣＨ（２）で送信するための第２のメッセージＭ２は、同様に、ＵＳＣＣＨ（２）にて伝送可能な６２ビットのデータである。第２のメッセージＭ２は、情報要素識別子Ｍ２ａ、メッセージ番号Ｍ２ｂ、フレームＮＯ Ｍ２ｃ、回線種別Ｍ２ｄ、着信グループ番号Ｍ２ｅ、内線名称の情報（内線名称［４］Ｍ２ｌ〜内線名称［１２］Ｍ２ｏ）、状態変化Ｍ２ｍ、および報知受信指示Ｍ２ｐから構成されている。
【００５４】
情報要素識別子Ｍ２ａは、このメッセージで報知される情報がグループ着信であることを示す識別情報を格納する。着信状態Ｍ１ｂは、グループ着信動作中（すなわち、グループ着信有り）にあるか、またはグループ着信が停止状態（すなわち、グループ着信無し）にあるかを示す情報を格納する。フレーム番号Ｍ２ｃは、送信しているメッセージが、第１のメッセージであるか、または第２のメッセージであるかを示す情報を格納する。ここでは、第２のメッセージの場合なので、フレーム番号Ｍ２ｃは、「１：第２フレームを示す情報」を格納する。回線種別Ｍ２ｄは、グループ着信を起動した発信者情報が内線であるか、または外線であるかを示す情報を格納する。ここでは、「内線」を格納する。着信グループ番号Ｍ２ｅは、グループ着信の通報先を示す着信グループ番号（００〜０７）を格納する。
【００５５】
内線名称の情報（内線名称［４］Ｍ２ｆ〜内線名称［１２］Ｍ２ｏ）には、グループ着信を起動した発信者情報（内線名称）のキャラクタコード（文字コード）をそれぞれ格納する。状態変化Ｍ２ｍは、本メッセージ情報に変更がある度にインクリメントされる３ビットの２進数を格納する。報知受信指示Ｍ２ｐは、受信指示を示す情報を格納する。
【００５６】
図１０は、グループ着信メッセージでグループ着信を起動した発信者が外線の場合に、メッセージをＵＳＣＣＨ（２）で送信するための第１のメッセージ構成を説明する図である。また、図１１は、グループ着信メッセージをＵＳＣＣＨ（２）で送信するための第２のメッセージ構成を説明する図である。ここでは、ＵＳＣＣＨ（２）によって、第１のメッセージ（第１フレームで送信されるメッセージ）と第２のメッセージ（第２フレームで送信されるメッセージ）の２つのメッセージを送信することで、１つのグループ着信情報を送信して、外線から受信した発信者番号の情報を送付できるように構成している。
【００５７】
図１０において、ＵＳＣＣＨ（２）で送信するための第１のメッセージＭ３は、ＵＳＣＣＨ（２）にて伝送可能な６２ビットのデータである。その内容は、情報要素識別子Ｍ３ａ、着信状態Ｍ３ｂ、フレームＮＯ Ｍ３ｃ、回線種別Ｍ３ｄ、着信グループ番号Ｍ３ｅ、発信者番号の情報（発信者番号［１］Ｍ３ｆ〜発信者番号［９］Ｍ１ｏ）、状態変化Ｍ３ｍ、および報知受信指示Ｍ３ｐから構成されている。
【００５８】
情報要素識別子Ｍ３ａは、このメッセージで報知される情報がグループ着信であることを示す識別情報を格納する。着信状態Ｍ３ｂは、グループ着信動作中（すなわち、グループ着信有り）にあるか、またはグループ着信が停止状態（すなわち、グループ着信無し）にあるかを示す情報を格納する。フレーム番号Ｍ３ｃは、送信しているメッセージが、第１のメッセージであるか、または第２のメッセージであるかを示す情報を格納する。ここでは、第１のメッセージの場合なので、フレーム番号Ｍ３ｃは、「０：第１フレームを示す情報」を格納する。回線種別Ｍ３ｄは、グループ着信を起動した発信者情報が内線であるか、または外線であるかを示す情報を格納する。ここでは「外線」を格納する。着信グループ番号Ｍ３ｅは、グループ着信の通報先を示す着信グループ番号（００〜０７）を格納する。
【００５９】
発信者番号の情報（発信者番号［１］Ｍ３ｆ〜発信者番号［９］Ｍ３ｏ）は、グループ着信を起動した外線にて受信した発信者情報を４ビットの番号デジット（０〜９）でそれぞれ格納する。状態変化Ｍ３ｍは、本メッセージ情報に変更がある度にインクリメントされる３ビットの２進数を格納する。報知受信指示Ｍ３ｐは、受信指示を示す情報を格納する。
【００６０】
次に、図１１において、ＵＳＣＣＨ（２）で送信するための第２のメッセージＭ４は、同様に、ＵＳＣＣＨ（２）にて伝送可能な６２ビットのデータである。その内容は、情報要素識別子Ｍ４ａ、メッセージ番号Ｍ４ｂ、フレームＮＯ Ｍ４ｃ、回線種別Ｍ４ｄ、着信グループ番号Ｍ４ｅ、発信者番号の情報（発信者番号［１０］Ｍ４ｆ〜発信者番号［１５］Ｍ１ｋ）、状態変化Ｍ４ｍ、および報知受信指示Ｍ４ｐから構成されている。
【００６１】
情報要素識別子Ｍ４ａは、このメッセージで報知される情報がグループ着信であることを示す識別情報を格納する。着信状態Ｍ４ｂは、グループ着信動作中（すなわち、グループ着信有り）にあるか、またはグループ着信が停止状態（すなわち、グループ着信無し）にあるかを示す情報を格納する。フレーム番号Ｍ４ｃは、送信しているメッセージが、第１のメッセージであるか、または第２のメッセージであるかを示す情報を格納する。ここでは第２のメッセージの場合なので、フレーム番号Ｍ４ｃは、「１：第２フレームを示す情報」を格納する。回線種別Ｍ４ｄは、グループ着信を起動した発信者情報が内線であるか、または外線であるかを示す情報を格納する。ここでは、「外線」を格納する。着信グループ番号Ｍ４ｅは、グループ着信の通報先を示す着信グループ番号（００〜０７）を格納する。
【００６２】
発信者番号の情報（発信者番号［１０］Ｍ４ｆ〜発信者番号［１５］Ｍ３ｋ）は、グループ着信を起動した外線にて受信した発信者情報を４ビットの番号デジット（０〜９）でそれぞれ格納する。状態変化Ｍ４ｍは、本メッセージ情報に変更がある度にインクリメントされる３ビットの２進数を格納する。報知受信指示Ｍ４ｐは、受信指示を示す情報を格納する。
【００６３】
なお、グループ着信メッセージでグループ着信を起動した発信者が外線の場合に、発信者番号に対応した名称情報も通知したい場合、ＵＳＣＣＨ（２）を利用し、メッセージフレーム構成を拡張し、第１フレーム〜第４フレーム構成とし、図１０、図１１で述べた発信者番号を格納するエリアと同様な構成で第３フレーム、第４フレームに名称情報を格納するエリアを規定することで対応可能である。
【００６４】
以上のように、本実施例では、ＰＨＳ基地局からＰＨＳ端末へグループ着信を送信する際には、非特許文献１で規定されたチャネルやメッセージであって、その規定によりユーザがオプションとして独自に使用できるチャネルやメッセージを適用して送信するようにしている。したがって、通常の（汎用の）ＰＨＳ端末に何ら影響を与えることがなく、単なる通話のみに使用するのであれば、汎用のＰＨＳ端末を本システムに使用することができる。
【００６５】
以下、動作について説明する。
図１２は、グループ着信のメッセージを送信するための第１の動作シーケンスを示す図である。図１２は、内線からグループ着信操作が行なわれた場合にＵＳＣＣＨ（２）によって、ＰＨＳ端末５−１〜５−ｐに一斉にグループ着信メッセージを送信する動作シーケンスである。なお、ＰＨＳ端末５−１〜５−ｐを代表して、ＰＨＳ端末５−１、ＰＨＳ端末５−２を図示する。また、基地局４−１〜４−ｍを代表して、基地局４−１を図示する。
【００６６】
図１２において、構内電話交換機１は、グループ着信指示を受け付けて（Ｓ１２１）、認識してグループ着信処理を開始する。すなわち、構内電話交換機１は、図５に示すグループ着信テーブル１８１に設定されたグループ着信種別に一致する操作＆動作を認識して、対応する対象着信グループ番号４２とＰＨＳ端末５に通知し着信表示させる内容４３を抽出する。そして、グループ着信メッセージの送出タイミングになると第１回目の第１フレームにて図８に示す第１のメッセージＭ１をＰＨＳ端末５−１〜５−２に送信するように全てのＰＨＳ基地局４−１へ指示を行なう（Ｓ１２２）。
【００６７】
ＰＨＳ基地局４−１は、ＵＳＣＣＨ（２）によって、指示を受けた第１のメッセージＭ１（第１フレーム）を送出する（Ｓ１２３）。さらに、ＰＨＳ基地局４−１は、次のＵＳＣＣＨ（２）送出タイミングにて、指示を受けた第１のメッセージＭ１（第１フレーム）を再度送出する（Ｓ１２４）。すなわち、各ＰＨＳ基地局４−１〜４−ｍがステップ１２３で送信するＵＳＣＣＨ（２）は、図７のスーパーフレームの内、符号８２に示すＵＳＣＣＨ（２）の送出タイミングで送出されるものであり、ステップ１２Ｄで再度送信するＵＳＣＣＨ（２）は、図７のスーパーフレームの内、符号８６に示すＵＳＣＣＨ（２）の送出タイミングで送出されるものであり、同じ内容のＵＳＣＣＨ（２）を２度送出している。
【００６８】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、これを一時的に格納しておく。
【００６９】
次に、構内電話交換機１は、所定時間（スーパーフレーム送出周期、具体的には１.２秒）を経過して、次のグループ着信メッセージの送出タイミングになると第１回目の第２フレームにて図９に示す第２のメッセージＭ２をＰＨＳ端末５−１〜５−ｐに送信するように全てのＰＨＳ基地局４−１〜４−ｍへ指示を行なう（Ｓ１２５）。各ＰＨＳ基地局４−１〜４−ｍは、ＵＳＣＣＨ（２）によって、指示を受けた第２のメッセージＭ２（第２フレーム）を送出する（Ｓ１２６）。
【００７０】
一方、ＵＳＣＣＨ（２）を受信したＰＨＳ端末５−１〜５−ｐは、受信したＵＳＣＣＨ（２）にて送信された第２のメッセージＭ２が受信対象のメッセージであり、かつ、先にＵＳＣＣＨ（２）にて第１のメッセージＭ１を受信していれば、第１のメッセージＭ１と第２のメッセージＭ２により、グループ着信で通知された情報を元に着信動作を行ない、表示部５Ｍに受信した内線番号および内線名称を表示し、かつ、ＰＨＳ端末テーブル５Ｗで設定されているグループ着信時の着信鳴動音６２およびグループ着信時の着信色６４の制御を行なう（Ｓ１２７）。
【００７１】
さらに、各ＰＨＳ基地局４−１〜４−ｍは、次のＵＳＣＣＨ（２）送出タイミングにて、指示を受けた第２のメッセージＭ２（第２フレーム）を再度送出する（Ｓ１２８）。次に、構内電話交換機１は、所定時刻（２回のスーパーフレーム送出周期、具体的には２.４秒）に、次の通報メッセージの送出タイミングになると第２回目の第１フレームにて図８に示す第１のメッセージＭ１をＰＨＳ端末５−１〜５−ｐに送信するように全てのＰＨＳ基地局４−１〜４−ｍへ指示を行なう（Ｓ１２９）。すなわち、構内電話交換機１は、所定時間経過後、同じグループ着信メッセージを再度送信する処理を行なう。
【００７２】
すると、各ＰＨＳ基地局４−１〜４−ｍは、ＵＳＣＣＨ（２）によって、指示を受けた第１のメッセージＭ１（第１フレーム）を送出する（Ｓ１３０）。さらに、各ＰＨＳ基地局４−１〜４−ｍは、次のＵＳＣＣＨ（２）送出タイミングにて、指示を受けた第１のメッセージＭ１（第１フレーム）を再度送出する（Ｓ１３１）。
【００７３】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、これを一時的に格納しておく。
【００７４】
次に、構内電話交換機１は、所定時間（スーパーフレーム送出周期、具体的には１.２秒）を経過して、次の通報メッセージの送出タイミングになると第２回目の第２フレームにて図９に示す第２のメッセージＭ２をＰＨＳ端末５−１〜５−ｐに送信するように全てのＰＨＳ基地局４−１〜４−ｍへ指示を行なう（Ｓ１３２）。
【００７５】
すると、各ＰＨＳ基地局４−１〜４−ｍは、ＵＳＣＣＨ（２）によって、指示を受けた第２のメッセージＭ２（第２フレーム）を送出する（Ｓ１３３）。さらに、各ＰＨＳ基地局４−１〜４−ｍは、次のＵＳＣＣＨ（２）送出タイミングにて、指示を受けた第２のメッセージＭ２（第２フレーム）を再度送出する（Ｓ１３４）
一方、ＵＳＣＣＨ（２）を受信したＰＨＳ端末５−１〜５−ｐは、受信したＵＳＣＣＨ（２）にて送信された第２のメッセージＭ２が受信対象のメッセージであり、かつ、先にＵＳＣＣＨ（２）にて第１のメッセージＭ１を受信していれば、第１のメッセージＭ１と第２のメッセージＭ２により、グループ着信で通知された情報を元に着信動作を行ない、表示部５Ｍに受信した内線番号および内線名称を表示し、かつ、ＰＨＳ端末テーブル５Ｗで設定されているグループ着信時の着信鳴動音６２およびグループ着信時の着信色６４の制御を行なう。ここで、既にグループ着信のメッセージを受信している場合は、このグループ着信メッセージを廃棄して、新たに着信動作を行なわないように処理する。
【００７６】
次に、構内電話交換機１は、所定時間（２回のスーパーフレーム送出周期、具体的には２.４秒）を経過して、次の通報メッセージの送出タイミングになると第２回目の第１フレームにて図８に示す第１のメッセージＭ１をＰＨＳ端末５−１〜５−ｐに送信するように全てのＰＨＳ基地局４−１〜４−ｍへ指示を行なう（Ｓ１３５）。すなわち、構内電話交換機１は、所定時間経過後、グループ着信に応答するかグループ着信を起動した内線が切断するまで、同じグループ着信メッセージを繰り返し送信する処理（繰り返し動作になるため説明を省略する）を行ない、確実にＰＨＳ端末５−１〜５−ｐに受信できるようにするためのものである。
【００７７】
これにより、ＰＨＳ端末５−１〜５−ｐの一部ＰＨＳ端末５が電源を切っていた状態から電源ＯＮにてグループ着信のメッセージを受信できる状態になった場合、または、各ＰＨＳ基地局４−１〜４−ｍの無線メッセージを受信できない場所（圏外）から受信可能なエリアに移動してきた場合でも、グループ着信のメッセージを受信することでグループ着信動作を行なうことが可能になる。
【００７８】
図１３を参照して、ＰＨＳ端末５−１から応答操作（オフフック）があった場合の、処理シーケンスを説明する。図１３において、ＰＨＳ端末５−１は、未使用状態からオフフック操作を行なった時と同様の手順であるリンク確立要求（Ｓ１４１）から、認証（Ｓ１４２）までのリンク接続処理は、非特許文献１に規定されている動作であり、説明を省略する。
【００７９】
認証手順まで完了した時点で、構内電話交換機１は、応答情報をＰＨＳ端末５−１へ送信するようにＰＨＳ基地局４へ指示を行なう（Ｓ１４３）。ＰＨＳ基地局４は、ＰＨＳ端末５−１に対して応答情報を送信する（Ｓ１４４）。ＰＨＳ端末５−１は、受信した応答情報にて通話開始を行なう。
【００８０】
さらに構内電話交換機１は、応答情報を指示した後に所定時間（スーパーフレーム送出周期、具体的には１.２秒）の送出タイミングにてグループ着信の停止処理を行なう。すなわち、構内電話交換機１は、図８に示す第１のメッセージＭ１の着信状態Ｍ１ｂに「停止」を示す情報を格納し、グループ着信メッセージの送出タイミングになると、この第１のメッセージＭ１（グループ着信停止）を第１回目の第１フレームにてＰＨＳ端末５−１〜５−ｐに送信するように全てのＰＨＳ基地局４−１〜４−ｍへ指示を行なう（Ｓ１４５）。
【００８１】
各ＰＨＳ基地局４−１〜４−ｍは、ＵＳＣＣＨ（２）によって、指示を受けた第１のメッセージＭ２（第１フレーム）を送出する（Ｓ１４６）。ＵＳＣＣＨ（２）を受信したＰＨＳ端末５−２は、受信したＵＳＣＣＨ（２）にて送信された第１のメッセージＭ２が停止の場合、表示部５Ｍの表示を表示になしとし、グループ着信時の着信鳴動音も停止させる（Ｓ１４７）。各ＰＨＳ基地局４−１〜４−ｍは、次のＵＳＣＣＨ（２）送出タイミングにて、指示を受けた第１のメッセージＭ２（第１フレーム）を再度送出する（Ｓ１４８）。
【００８２】
次に、構内電話交換機１は、所定時間（スーパーフレーム送出周期、具体的には１.２秒）を経過して、次の通報メッセージの送出タイミングになると第２回目の第１フレームにて図８に示す第１のメッセージＭ１（グループ着信停止）をＰＨＳ端末５−１〜５−ｐに送信するように全てのＰＨＳ基地局４−１〜４−ｍへ指示を行なう（Ｓ１４９）。すなわち、構内電話交換機１は、所定時間経過後、同じグループ着信メッセージ（グループ着信停止）を再度送信する処理を行なう。
【００８３】
すると、各ＰＨＳ基地局４−１〜４−ｍは、ＵＳＣＣＨ（２）によって、指示を受けた第１のメッセージＭ１（第１フレーム）を送出する（Ｓ１５０）。さらに、各ＰＨＳ基地局４−１〜４−ｍは、次のＵＳＣＣＨ（２）送出タイミングにて、指示を受けた第１のメッセージＭ１（第１フレーム）を再度送出する（Ｓ１５１）。
【００８４】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、グループ着信が停止状態にあることを認識して、通常動作モードに移行する。
【００８５】
ところで、ＰＨＳ基地局４−１〜４−ｍから、ＰＨＳ端末５−１〜５−ｐには常時スーパーフレームがサイクリックに送信されている。従って、ステップ１５１の後も、ＵＳＣＣＨ（２）がＰＨＳ基地局４−１〜４−ｍからＰＨＳ端末５−１〜５−ｐへ伝送されているが、そのＵＳＣＣＨ（２）で送信されるメッセージ内容は、ステップ１４６およびステップ１４８で送信されるものと同一のものにしている。すなわち、グループ着信処理が無い場合には、ＰＨＳ基地局４−１〜４−ｍからＰＨＳ端末５−１〜５−ｐに対して、図８に示す第１のメッセージＭ１の着信状態Ｍ１ｂに「停止」を示す情報を格納した第１のメッセージＭ１（グループ着信停止）を繰り返し送信して、ＰＨＳ端末５−１〜５−ｐにグループ着信が無いことを通知し続けている。
【００８６】
また、以上の構内電話交換機１による再送処理や、ＰＨＳ基地局４−１〜４−ｍによる再送処理は、ＰＨＳ端末５がグループ着信メッセージを確実に受信できるようにするためのものである。
【００８７】
図１４を参照して、グループ着信のメッセージを送信するための第２の動作シーケンスを説明する。図１４は、内線からグループ着信操作が行なわれた場合にＵＳＣＣＨ（２）によって、特定グループに対してグループ着信メッセージを送信する動作シーケンスである。図１４において、ＰＨＳ端末５として、ＰＨＳ端末５−１、ＰＨＳ端末５−２、ＰＨＳ端末５−３がある。ＰＨＳ端末５−１とＰＨＳ端末５−２は、同一の着信グループ番号０１で設定されている。一方、ＰＨＳ端末５−３は、着信グループ番号０２で設定されている。なお、ＰＨＳ端末５−１〜ＰＨＳ端末５−３は、全てＰＨＳ基地局４−１〜４−ｍよりメッセージを受信して動作する。
【００８８】
図１４において、構内電話交換機１は、グループ着信指示を受信して（Ｓ１６１）、グループ着信処理を開始する。すなわち、構内電話交換機１は、図５に示すグループ着信テーブル１８１が設定されたグループ着信種別に一致する操作＆動作を認識して、対応する対象着信グループ番号４２（具体的には、グループ０１）、ＰＨＳ端末５に通知し着信表示させる内容４３を抽出する。そして、グループ着信メッセージの送出タイミングになると、構内電話交換機１は、第１回目の第１フレームにて図８に示す第１のメッセージＭ１を該当するＰＨＳ端末５（ＰＳ１、ＰＳ２）に送信するように、ＰＨＳ端末５が登録されているＰＨＳ基地局４−１〜４−ｍへ指示を行なう（Ｓ１６２）。
【００８９】
すると、各ＰＨＳ基地局４−１〜４−ｍは、ＵＳＣＣＨ（２）によって、指示を受けた第１のメッセージＭ１（第１フレーム）を送出する（Ｓ１６３）。さらに、各ＰＨＳ基地局４−１〜４−ｍは、次のＵＳＣＣＨ（２）送出タイミングにて、指示を受けた第１のメッセージＭ１（第１フレーム）を再度送出する（Ｓ１６４）。すなわち、各ＰＨＳ基地局４−１〜４−ｍがステップ１６３で送信するＵＳＣＣＨ（２）は、図７のスーパーフレームの内、符号８２に示すＵＳＣＣＨ（２）の送出タイミングで送出されるものであり、ステップ１６４で再度送信するＵＳＣＣＨ（２）は、図７のスーパーフレームの内、符号８６に示すＵＳＣＣＨ（２）の送出タイミングで送出されるものであり、同じ内容のＵＳＣＣＨ（２）を２度送出している。
【００９０】
一方、ＵＳＣＣＨ（２）を受信したＰＨＳ端末５（ＰＳ１、ＰＳ２、ＰＳ３）は、受信したＵＳＣＣＨ（２）にて送信された第１のメッセージＭ１が受信対象のメッセージであれば、これを一時的に格納（具体的には、ＰＳ１、ＰＳ２）するが、対象外であれば、このグループ着信メッセージを廃棄する（具体的には、ＰＳ３）。
【００９１】
次に、構内電話交換機１は、所定時間（スーパーフレーム送出周期、具体的には１.２秒）を経過して、次のグループ着信メッセージの送出タイミングになると第１回目の第２フレームにて図９に示す第２のメッセージＭ２をＰＨＳ端末５（ＰＳ１、ＰＳ２）に送信するように全てのＰＨＳ基地局４−１〜４−ｍへ指示を行なう（Ｓ１６５）。
【００９２】
ＰＨＳ基地局４−１〜４−ｍは、ＵＳＣＣＨ（２）によって、指示を受けた第２のメッセージＭ２（第２フレーム）を送出する（Ｓ１６６）。ＵＳＣＣＨ（２）を受信したＰＨＳ端末５−１、５−２は、受信したＵＳＣＣＨ（２）にて送信された第２のメッセージＭ２が受信対象のメッセージであり、かつ、先にＵＳＣＣＨ（２）にて第１のメッセージＭ１を受信していれば、第１のメッセージＭ１と第２のメッセージＭ２により、グループ着信で通知された情報を元に着信動作を行ない、表示部５Ｍに受信した内線番号および内線名称を表示し、かつ、ＰＨＳ端末テーブル５Ｗに設定されているグループ着信時の着信鳴動音６２およびグループ着信時の着信色６４の制御を行なう（Ｓ１６７）。一方、ＵＳＣＣＨ（２）を受信したＰＨＳ端末５−３は、特に動作しない。このように、ＰＨＳ端末５が各ＰＨＳ基地局４−１〜４−ｍよりグループ着信メッセージを一斉に受信しても、受信したＰＨＳ端末５にて着信グループ番号を識別することにより、各ＰＨＳ基地局４自身をグループ分けを行なわなくても、ＰＨＳ端末５に対してグループ着信を行なうことが可能である。
【００９３】
さらに、ＰＨＳ基地局４−１〜４−ｍは、次のＵＳＣＣＨ（２）送出タイミングにて、指示を受けた第２のメッセージＭ２（第２フレーム）を再度送出する（Ｓ１６８）。次に、構内電話交換機１は、所定時間（２回のスーパーフレーム送出周期、具体的には２.４秒）を経過して、次の通報メッセージの送出タイミングになると第２回目の第１フレームにて図８に示す第１のメッセージＭ１をＰＨＳ端末へ送信する。しかし、図１２で説明した内容と同様になる為、説明を省略する。
【００９４】
次に、グループ着信中に発信者の操作によりグループ着信停止を行なった時のシーケンスを説明する。図１４において、構内電話交換機１は、グループ着信停止を受信して（Ｓ１７５）、グループ着信停止処理を開始する。次に所定時刻（スーパーフレーム送出周期、具体的には１.２秒）の送出タイミングにて、グループ着信の停止処理を行なう。すなわち、構内電話交換機１は、図８に示す第１のメッセージＭ１の着信状態Ｍ１ｂに「停止」を示す情報を格納し、グループ着信メッセージの送出タイミングになると、この第１のメッセージＭ１（グループ着信停止）を第１回目の第１フレームにてＰＨＳ端末５に送信するように全てのＰＨＳ基地局４−１〜４−ｍへ指示を行なう（Ｓ１７６）。
【００９５】
ＰＨＳ基地局４−１〜４−ｍは、ＵＳＣＣＨ（２）によって、指示を受けた第１のメッセージＭ２（第１フレーム）を送出する（Ｓ１７７）。
【００９６】
ＵＳＣＣＨ（２）を受信したＰＨＳ端末５−１、５−２は、受信したＵＳＣＣＨ（２）にて送信された第１のメッセージＭ２が停止の場合で、かつ、受信対象のメッセージであれば、表示部５Ｍの表示を表示になしとし、グループ着信時の着信鳴動音も停止する（Ｓ１７８）。一方、メッセージ受信対象外のＰＨＳ端末５−３は、このグループ着信メッセージを廃棄して、何も処理を行なわない。
さらに、各ＰＨＳ基地局４−１〜４−ｍは、次のＵＳＣＣＨ（２）送出タイミングにて、指示を受けた第１のメッセージＭ２（第１フレーム）を再度送出する（Ｓ１７９）。
【００９７】
次に、構内電話交換機１は、所定時間（スーパーフレーム送出周期、具体的には１.２秒）を経過して、次の通報メッセージの送出タイミングになると第２回目の第１フレームにて図８に示す第１のメッセージＭ１（グループ着信停止）をＰＨＳ端末５に送信するように全てのＰＨＳ基地局４−１〜４−ｍへ指示を行なう（Ｓ１８０）。すなわち、構内電話交換機１は、所定時間経過後、同じグループ着信メッセージ（グループ着信停止）を再度送信する処理を行なう。
【００９８】
すると、各ＰＨＳ基地局４−１〜４−ｍは、ＵＳＣＣＨ（２）によって、指示を受けた第１のメッセージＭ１（第１フレーム）を送出する（Ｓ１４Ｓ）。さらに、各ＰＨＳ基地局４−１〜４−ｍは、次のＵＳＣＣＨ（２）送出タイミングにて、指示を受けた第１のメッセージＭ１（第１フレーム）を再度送出する（Ｓ１８１）。
【００９９】
ＵＳＣＣＨ（２）を受信したＰＨＳ端末５−１、５−２は、受信したＵＳＣＣＨ（２）にて送信された第１のメッセージＭ１が受信対象のメッセージであれば、グループ着信が停止状態にあることを認識して、通常動作モードに移行する。
【０１００】
ところで、ＰＨＳ基地局４−１〜４−ｍから、ＰＨＳ端末５には常時スーパーフレームがサイクリックに送信されている。従って、ステップ１８２の後も、ＵＳＣＣＨ（２）がＰＨＳ基地局４−１〜４−ｍからＰＨＳ端末５へ伝送されているが、そのＵＳＣＣＨ（２）で送信されるメッセージ内容は、ステップ１７７やステップ１８１で送信されるものと同一のものにしている。すなわち、グループ着信処理が無い場合には、ＰＨＳ基地局４−１〜４−ｍからＰＨＳ端末５に対して、図８に示す第１のメッセージＭ１の着信状態Ｍ１ｂに「停止」を示す情報を格納した第１のメッセージＭ１（グループ着信停止）を繰り返し送信して、ＰＨＳ端末５にグループ着信が無いことを通知し続けている。
【０１０１】
次に、図１２に示すシーケンスや図１３に示すシーケンスを実現する構内電話交換機１の処理について説明する。
図１５および図１６は、グループ着信メッセージを送信するための構内電話交換機のグループ着信監視フローチャートである。
【０１０２】
構内電話交換機１は、グループ着信処理を行なうためのグループ着信周期プログラムを備えている。図１５は、そのフローチャートである。図１５において、構内電話交換機１は、周期的にグループ着信操作（起動・終了）を検出したか判定する（Ｓ２０１）。検出していなければ、構内電話交換機１は、処理を終了する。一方、ステップ２０１でグループ着信を検出した場合、構内電話交換機１は、グループ着信の種別を認識する（Ｓ２０２）。グループ着信の起動操作であれば、構内電話交換機１は、グループ着信テーブル１８１参照して、着信先グループを取得する（Ｓ２０３）。すなわち、グループ着信テーブル１８１にグループ着信種別４１に合致する操作があれば、そのグループ着信種別に対応する対象着信グループ番号４２とＰＨＳ端末に通知し、着信表示させる内容４３を抽出する。構内電話交換機１は、グループ着信処理を起動（開始）して（Ｓ２０４）、終了する。
【０１０３】
一方、グループ着信の操作が終了操作であれば、構内電話交換機１は、グループ着信テーブル１８１を参照して、着信先グループを取得する（Ｓ２０３）。すなわち、構内電話交換機１は、グループ着信テーブル１８１のグループ着信種別４１に合致する操作があれば、そのグループ着信種別に対応する対象着信グループ番号４２を抽出する。そして、グループ着信処理を起動（終了）して（Ｓ２０４）、終了する。
【０１０４】
構内電話交換機１は、グループ着信処理によってグループ着信メッセージを送信するための周期プログラムを備えている。図１６は、そのフローチャートである。図１６において、構内電話交換機１は、グループ着信処理が開始されているか判断する（Ｓ２５１）。開始されていない場合、構内電話交換機１は、処理を終了する。一方、ステップ２５１でグループ着信処理が開始されている場合、構内電話交換機１は、ＵＳＣＣＨ（２）送出周期になったかを判断する（Ｓ２５２）。ＵＳＣＣＨ（２）の送出周期であれば、構内電話交換機１は、送信処理を判定する（Ｓ２５３）。ステップ２５２でＵＳＣＣＨ（２）の送出周期でなければ、構内電話交換機１は、処理を終了する。
【０１０５】
ステップ２５３で、第１フレーム送出周期であれば、構内電話交換機１は、第１フレームを送信して（Ｓ２５４）、終了する。
ステップ２５３で、第２フレーム送出周期であれば、構内電話交換機１は、第２フレームを送信して（Ｓ２５５）、終了する。
ステップ２５３で、第１フレーム再送送出周期であれば、構内電話交換機１は、第１フレームを送信して（Ｓ２５６）、終了する。
ステップ２５３で、第２フレーム再送送出周期であれば、構内電話交換機１は、第２フレームを送信して（Ｓ２５７）、終了する。
ステップ２５３で、停止送出周期であれば、構内電話交換機１は、停止を送信して（Ｓ２５８）、終了する。
ステップ２５３で、停止再送送出周期であれば、構内電話交換機１は、停止を送信する（Ｓ２５９）。構内電話交換機１は、グループ着信なしとして（Ｓ２６０）、終了する。
【０１０６】
次に、図１２のシーケンスおよび図１３のシーケンスを実現するＰＨＳ端末５の処理について説明する。
【０１０７】
図１７を参照して、ＰＨＳ端末の電源ＯＮ時／ＰＨＳ基地局捕捉時の処理を説明する。図１７において、ＰＨＳ端末５は、電源ＯＮ時や新たにＰＨＳ基地局４−１〜４−ｍを捕捉した時に、図６の端末テーブル５Ｗに設定されているグループ着信受信有無の項目が「有り」かまたは「無し」かを抽出して、動作モードが通常モードかグループ着信受信モードかを確認する（Ｓ３０１）。次に、ＰＨＳ端末５は、スーパーフレームのＢＣＣＨ（Ａ）を検出するまで待ち続ける（Ｓ３０２）。ＢＣＣＨ（Ａ）を検出すると、ＰＨＳ端末５は、ＢＣＣＨ（Ａ）に格納されているチャネル構造に関する情報を基にスーパーフレームの構成を解析する（Ｓ３０３）。そして、動作モードが通常モード（グループ着信受信有無の項目が「無し」と設定）の場合、ＰＨＳ端末５は、図７に示すスーパーフレーム構成が（ａ）通常時であれば、「起動１」と「起動２」の時点でスリープモードから起動し、また、図７に示すスーパーフレーム構成が（ｂ）グループ着信時であれば、「起動１」と「起動２」の時点でスリープモードから起動して、ＰＣＨ（ＰＣＨ１およびＰＣＨ２）を受信するように起動時間を記憶する。また、動作モードがグループ着信受信モード（グループ着信受信有無の項目が「有り」と設定）の場合、ＰＨＳ端末５は、図７に示すスーパーフレーム構成の（ｂ）グループ着信時において、「起動３」と「起動１」と「起動４」と「起動２」の時点でスリープモードから起動し、ＵＳＣＣＨ（２）とＰＣＨ（ＰＣＨ１およびＰＣＨ２）を受信するように起動時間を記憶する（Ｓ３０４）。
【０１０８】
ＰＨＳ端末５は、バッテリーセービングモードに移行して（Ｓ３０５）、終了する。なお、バッテリーセービングモードは、バッテリーの消費を抑えるものである。バッテリーセービングモードは、ＰＨＳ端末が待受け状態の場合で、必要な無線信号を受信するとき以外は、音声処理部５Ｃ、コーデック５Ｄ、ＴＤＭＡ処理部５Ｅ、復調部５Ｆ、変調部５Ｇ、受信部５Ｈ、送信部５Ｊ、スイッチ部５５Ｋ、表示部５Ｍおよびランプ部５Ｎに電力を供給しないモードである。スーパーフレームの必要な信号を受信するとき、ＰＨＳ端末５は、ＴＤＭＡ処理部５Ｅ、復調部５Ｆ、受信部５Ｈ、およびスイッチ部５５Ｋに電力を与え（すなわち起動し）、ＵＳＣＣＨ（２）やＰＣＨ（ＰＣＨ１およびＰＣＨ２）を受信できるようにしている。
【０１０９】
図１８を参照して、ＰＨＳ端末の通常モード時の待受けの処理を説明する。図１８において、ＰＨＳ端末５は、先に記憶した起動時間の到来を待つ（Ｓ３５１）。到来したとき、ＰＨＳ端末５は、スリープモードを解除して起動し、ＰＣＨ（ＰＣＨ１およびＰＣＨ２）受信準備を始める（Ｓ３５２）。次に、ＰＨＳ端末５は、ＰＣＨ（ＰＣＨ１およびＰＣＨ２）を受信する（Ｓ３５３）。ＰＨＳ端末５は、自ＰＨＳ端末５の着信があるか判別する（Ｓ３５４）。着信があれば、ＰＨＳ端末５は、着信処理に移行して（Ｓ３５５）、終了する。また、着信がなければ、ＰＨＳ端末５は、スリープモードに移行して（Ｓ３５６）、次の起動時間の到来を待つ。
【０１１０】
図１９を参照して、ＰＨＳ端末のグループ着信受信モード時の待受けの処理を説明する。図１９において、ＰＨＳ端末５は、先に記憶した起動時間の到来を待つ（Ｓ４０１）。到来すれば、スリープモードを解除して起動し、ＰＣＨ（ＰＣＨ１およびＰＣＨ２）またはＵＳＣＣＨ（２）受信準備を始める（Ｓ４０２）。次に、ＰＨＳ端末５は、ＰＣＨ（ＰＣＨ１およびＰＣＨ２）またはＵＳＣＣＨ（２）を受信する（Ｓ４０３）。ＰＨＳ端末５は、受信したフレームがＰＣＨ（ＰＣＨ１およびＰＣＨ２）を受信したかを判別する（Ｓ４０４）。ＰＣＨ（ＰＣＨ１およびＰＣＨ２）を受信した場合、ＰＨＳ端末５は、自ＰＨＳ端末５−１〜５−ｐへの着信があるか判別する（Ｓ４０５）。着信があれば、ＰＨＳ端末５は、グループ着信メッセージ受信処理中かを判別する（Ｓ４０７）。
【０１１１】
ステップ４０７での判別の結果、グループ着信メッセージ受信処理中の場合、ＰＨＳ端末５は、着信処理へ移行して（Ｓ４０８）、終了する。一方、ステップ４０７グループ着信メッセージ受信処理中でない場合（ＮＯ）、ＰＨＳ端末５は、着信を無効化して（すなわち着信不可の応答として）（Ｓ４０９）、処理を終了する。また、ステップ４０５において、着信が無い（ＮＯ）と判断した場合、ＰＨＳ端末５は、スリープモードに移行して（Ｓ４０６）、次の起動時間の到来を待つ。
【０１１２】
さらに、ステップ４０４の判断において、受信したフレームがＰＣＨ（ＰＣＨ１およびＰＣＨ２）でない場合、すなわち、ＵＳＣＣＨ（２）を受信したと判断した場合、ＰＨＳ端末５は、グループ着信メッセージ受信処理（１）へ移行して（Ｓ４１０）、終了する。なお、この通報メッセージ受信処理（１）の詳細動作は後述する。
【０１１３】
図２０を参照して、ＰＨＳ端末の発信操作監視の処理を説明する。図２０において、ＰＨＳ端末５は、発信操作を待つ（Ｓ５０１）。発信操作が合った場合、ＰＨＳ端末５は、グループ着信メッセージ受信処理中かを判別する（Ｓ５０２）。ここで、グループ着信メッセージ受信処理中でなければ、ＰＨＳ端末５は、発信処理に移行して（Ｓ５０３）、終了する。グループ着信メッセージ受信処理中の場合でも発信処理に移行するが、ＰＨＳ端末５は、あくまでもグループ着信応答として発信処理に移行して（Ｓ５０４）、処理を終了する。
【０１１４】
すなわち、図１９の着信処理（ステップ４０８）と、図２０の発信処理（ステップ５０４）は、グループ着信メッセージ受信処理中のときには、通常の発信処理行なうことはできず、グループ着信の応答として発信処理の動作を行なう。なお、グループ着信メッセージ受信処理中か否かの判断は、メッセージ処理フラグで判断しているものであり、その説明は、図２１を参照して、説明する。
【０１１５】
図２１は、ＰＨＳ端末のグループ着信メッセージ受信処理（１）フローチャートである。図２１は、図１９に示すフローチャートのステップ４１０に示した処理である。ＰＨＳ端末５は、ＰＨＳ基地局からＵＳＣＣＨ（２）を受信する度に、この処理を実行する。
【０１１６】
図２１において、ＰＨＳ端末５は、ＵＳＣＣＨ（２）を受信する（Ｓ５５１）。ＰＨＳ端末５は、そのメッセージ内容を解読する（Ｓ５５２）。ＰＨＳ端末５は、このメッセージに含まれる状態変化Ｍ１ｍまたはＭ２ｍと、前回受信した内容とを比較する（Ｓ５５３）。比較した結果が変化なしの場合、ＰＨＳ端末５は、受信メッセージを廃棄して、ＰＨＳ端末をスリープモードに移行させて（Ｓ５７１）、処理を終了する。
【０１１７】
一方、ステップ５５３で変化ありの場合、ＰＨＳ端末５は、受信メッセージに含まれる着信グループ番号Ｍ１ｅまたはＭ２ｅ内の着信グループと自端末のＰＨＳ端末テーブル５Ｗに設定されたグループ着信番号６１を比較して処理対象着信グループ番号か判断する（Ｓ５５４）。このとき、ＰＨＳ端末５は、通知された着信グループ番号Ｍ１ｅまたはＭ２ｅが全端末が処理する着信グループ番号の場合も処理対象と判断する。そして、処理対象外と判断した場合、ＰＨＳ端末５は、ステップ５７１に遷移する。
【０１１８】
一方、ステップ５５４で処理対象と判断すると、ＰＨＳ端末５は、フレーム番号Ｍ１ｃまたはＭ２ｃ内のフレーム番号により、第１フレーム（第１のメッセージＭ１）か第２フレーム（第２のメッセージＭ２）かを判断する（Ｓ５５５）。第１フレーム（第１のメッセージＭ１）であれば、ＰＨＳ端末５は、着信状態Ｍ１ｂに含まれる情報が停止か着信かを判断する（Ｓ５５６）。これが着信であれば、ＰＨＳ端末５は、メッセージ処理フラグをＯＮする（Ｓ５５７）。
【０１１９】
次に、ＰＨＳ端末５は、受信したメッセージに含まれる回線種別Ｍ１ｄまたはＭ３ｄを参照し、ＰＨＳ端末５は、内線であれば、内線番号（内線番号［１］Ｍ１ｆ〜内線番号［６］Ｍ１ｋ）と内線名称（内線名称［１］Ｍ１ｌ、内線名称［１］Ｍ１ｌおよび、内線名称［３］Ｍ１ｏ）を読み取る。なお、回線種別Ｍ１ｄまたはＭ３ｄが外線であれば、ＰＨＳ端末５は、発信者番号（発信者番号［１］Ｍ３ｆ〜発信者番号［９］Ｍ３ｏ）を読み取る。ＰＨＳ端末５は、読み取った情報は一時的に格納する（Ｓ５５８）。ＰＨＳ端末５は、スリープモードに移行して（Ｓ５５９）、処理を終了する。なお、ステップ５５６の判断において、着信状態Ｍ１ｂに含まれる情報が停止と判断された場合、ＰＨＳ端末５は、メッセージ処理フラグをＯＦＦとし（Ｓ５６０）、ステップ５５９に遷移する。
【０１２０】
なお、メッセージ処理フラグは、グループ着信の受信処理中か否かの識別フラグである。このフラグが処理中（ＯＮ）となっている場合、図１９のフローチャートや図２０のフローチャートに示すように、ＰＨＳ端末５は、発着信動作を行なわない。
【０１２１】
一方、ステップ５５５の判断において、第２フレーム（第２のメッセージＭ２）と判断された場合、ＰＨＳ端末５は、第１フレーム（第１のメッセージＭ１）を受信しているかを判断する（Ｓ５６１）。第１フレーム（第１のメッセージＭ１）を受信していない場合、ＰＨＳ端末５は、受信メッセージを廃棄して、ＰＨＳ端末をスリープモードに移行させて（Ｓ５７０）、処理を終了する。また、第１フレーム（第１のメッセージＭ１）を受信している場合、ＰＨＳ端末５は、受信したメッセージに含まれる回線種別Ｍ２ｄまたはＭ４ｄを参照し、内線であれば、内線名称（内線名称［４］Ｍ２ｂ〜内線名称［１２］Ｍ２ｏ）を読み取って、先に一時的に格納した、内線名称（内線名称［１］Ｍ１ｌ、内線名称［１］Ｍ１ｌおよび、内線名称［３］Ｍ１ｏ）と結合して、表示内容を作成する（Ｓ５６２）。なお、回線種別Ｍ２ｄまたはＭ４ｄが外線であれば、ＰＨＳ端末５は、発信者番号（発信者番号［１０］Ｍ４ｆ〜発信者番号［１５］Ｍ３ｋ）を読み取って、先に一時的に格納した、発信者番号（発信者番号［１］Ｍ３ｆ〜発信者番号［９］Ｍ３ｏ）と結合して、表示メッセージを作成する（Ｓ５６２）。
【０１２２】
次に、ＰＨＳ端末５は、作成した表示メッセージを表示部５Ｍに表示する（Ｓ５６３）。そして、ＰＨＳ端末５は、端末テーブル５Ｗで設定された条件で、着信音鳴動とバイブレータ動作を発生して（Ｓ５６４）、グループ着信状態として、ステップ５５９に遷移する。
【０１２３】
なお、グループ着信メッセージを行なうための指示や操作（トリガー）は、特に限定されるものでなく、局線トランクへの特別な着信や、日時や時間でのタイマー動作でも良い。
【０１２４】
また、本実施例の電話交換システムには、汎用のＰＨＳ端末を用いても問題は生じない。すなわち、汎用のＰＨＳ端末は、ＵＳＣＣＨ（２）を無視する処理に（ＵＳＣＣＨ（２）を受信しない処理に）なるため、通常の発着信を行なう内線電話機として用いることができる。さらに、ＰＨＳ端末は、グループ着信の受信を行なわない動作モードと設定すれば、通常のＰＨＳ端末と同様の動作を行なうため、通常の（汎用の）ＰＨＳ端末としても使用することができる。
【０１２５】
特に、電話交換システムは、ＰＨＳサービスにてグループ着信メッセージを送信し、着信鳴動および着信表示を行なうため、移動電話機としてＰＨＳ端末しか利用ができず、業務で移動が頻繁に発生するような施設（具体的には、病院または老人介護施設）で、発信者を応答前に特定して対応可能であり、かつ、複数のＰＨＳ端末を短時間で着信させることができるため、極めて有効な効力を発揮できる。
【０１２６】
さらに、本実施例では、構内電話交換機を例として説明したが、これは構内電話交換機に限定されるものではなく、ＰＨＳサービス若しくはＰＨＳ機能を提供する構内電話交換機やボタン電話装置（キーテレホン）等の種々の電話交換装置に適用することが可能である。
【符号の説明】
【０１２７】
１…構内電話交換機、２…内線電話機、３…デジタル多機能電話機、４…ＰＨＳ基地局、４Ａ…スイッチ部、４Ｂ…受信部、４Ｃ…復調部、４Ｄ…送信部、４Ｅ…変調部、４Ｆ…ＴＤＭＡ処理部、４Ｇ…回線インタフェース部、４Ｈ…制御部、４Ｊ…記憶部、４Ｋ…アンテナ、５…ＰＨＳ端末、５Ａ…スピーカ、５Ｂ…マイク、５Ｃ…音声処理部、５Ｄ…コーデック、５Ｅ…ＴＤＭＡ処理部、５Ｆ…復調部、５Ｇ…変調部、５Ｈ…受信部、５Ｊ…送信部、スイッチ部５５Ｋと５Ｌ…制御部、５Ｍ…表示部、５Ｎ…ランプ部、５Ｐ…操作部、５Ｑ…外部インタフェース部、５Ｒ…記憶部、５Ｓ…アンテナ、７…公衆電話網、８…公衆一般電話機、９…メンテナンスパネル、１１…通話路スイッチ、１２…内線回路、１３…デジタル内線回路、１４…コードレス電話トランク、１５…局線トランク、１７…制御装置、１８…記憶装置、１９…入出力装置、２０…制御バス、１００…構内電話交換システム、１７１…スーパーフレーム生成部、１８１…グループ着信テーブル、１８２…グループ着信リスト。
【図１】
2012074770.tif 000003
【図２】
2012074770.tif 000004
【図３】
2012074770.tif 000005
【図４】
2012074770.tif 000006
【図５】
2012074770.tif 000007
【図６】
2012074770.tif 000008
【図７】
2012074770.tif 000009
【図８】
2012074770.tif 000010
【図９】
2012074770.tif 000011
【図１０】
2012074770.tif 000012
【図１１】
2012074770.tif 000013
【図１２】
2012074770.tif 000014
【図１３】
2012074770.tif 000015
【図１４】
2012074770.tif 000016
【図１５】
2012074770.tif 000017
【図１６】
2012074770.tif 000018
【図１７】
2012074770.tif 000019
【図１８】
2012074770.tif 000020
【図１９】
2012074770.tif 000021
【図２０】
2012074770.tif 000022
【図２１】
2012074770.tif 000023